【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
通信装置であって、
前記通信装置が使用可能なチャネルのうち、所定のチャネルを用いた外部装置と前記通信装置との第１の無線ネットワークにおける接続を確立させ、前記所定のチャネルを用いた端末装置と前記通信装置との第２の無線ネットワークにおける接続を確立させる接続手段と、
前記端末装置と前記通信装置との通信状態を取得し、前記通信状態に基づいた制御を行う第１制御手段と、
前記第１の制御手段と異なる第２の制御手段と、を有し、
前記所定のチャネルを用いた前記外部装置と前記通信装置との前記第１の無線ネットワークにおける接続と、前記所定のチャネルを用いた前記端末装置と前記通信装置との前記第２の無線ネットワークにおける接続が並行して確立されている状態で、前記所定のチャネルを用いた前記外部装置と前記通信装置との接続が切断された場合、前記第１制御手段が、前記第１制御手段が実行可能な複数の検索方法のうち前記端末装置と前記通信装置との通信状態に応じて特定される検索方法で前記外部装置を検索し、
前記所定のチャネルを用いた前記外部装置と前記通信装置との前記第１の無線ネットワークにおける接続が確立されており、前記所定のチャネルを用いた前記端末装置と前記通信装置との前記第２の無線ネットワークにおける接続が確立されていない状態で、前記所定のチャネルを用いた前記外部装置と前記通信装置との接続が切断された場合、前記第２の制御手段が、前記端末装置と前記通信装置との通信状態にかかわらず所定の方法で前記外部装置を検索することを特徴とする通信装置。
【請求項２】
前記第１制御手段は、前記第２の制御手段より処理速度が速いことを特徴とする請求項１に記載の通信装置。
【請求項３】
前記所定のチャネルを用いた前記外部装置と前記通信装置との前記第１の無線ネットワークにおける接続と、前記所定のチャネルを用いた前記端末装置と前記通信装置との前記第２の無線ネットワークにおける接続が並行して確立されている状態で、前記外部装置と接続するための接続情報の設定が変更されたことで、前記所定のチャネルを用いた前記外部装置と前記通信装置との接続が切断された場合、前記第１制御手段は、前記複数の検索方法のうち、前記所定のチャネルを用いて前記外部装置を検索し、前記所定のチャネル以外のチャネルを少なくとも用いて前記外部装置を検索しない検索方法で前記外部装置を検索することを特徴とする請求項１又は２に記載の通信装置。
【請求項４】
前記所定のチャネルを用いた前記外部装置と前記通信装置との前記第１の無線ネットワークにおける接続と、前記所定のチャネルを用いた前記端末装置と前記通信装置との前記第２の無線ネットワークにおける接続が並行して確立されている状態で、前記所定のチャネルを用いた前記外部装置と前記通信装置との接続が切断された場合、前記第１制御手段は、前記複数の検索方法のうち、前記端末装置と前記通信装置との通信が実行されていない状態では、前記所定のチャネルを用いて所定の回数、前記外部装置の検索を繰り返し、前記所定のチャネルを用いた前記外部装置の検索により前記外部装置が検出されなかった場合、前記所定のチャネル以外のチャネルを少なくとも用いて前記外部装置を検索する検索方法で前記外部装置を検索することを特徴とする請求項１乃至３のいずれか１項に記載の通信装置。
【請求項５】
前記所定のチャネルを用いた前記外部装置と前記通信装置との前記第１の無線ネットワークにおける接続と、前記所定のチャネルを用いた前記端末装置と前記通信装置との前記第２の無線ネットワークにおける接続が並行して確立されている状態で、前記所定のチャネルを用いた前記外部装置と前記通信装置との接続が切断された場合、前記第１制御手段は、前記複数の検索方法のうち、前記端末装置と前記通信装置との通信が実行されていない状態では、前記所定のチャネルを用いて、第１の周期で所定の回数、前記外部装置の検索を繰り返し、前記所定のチャネルを用いて、前記第１の周期で前記所定の回数、前記外部装置の検索が繰り返されることにより前記外部装置が検出されなかった場合、前記所定のチャネル以外のチャネルを少なくとも用いて、前記第１の周期より長い第２の周期で前記外部装置の検索を繰り返す検索方法で前記外部装置を検索することを特徴とする請求項４に記載の通信装置。
【請求項６】
前記所定のチャネルを用いた前記外部装置と前記通信装置との前記第１の無線ネットワークにおける接続と、前記所定のチャネルを用いた前記端末装置と前記通信装置との前記第２の無線ネットワークにおける接続が並行して確立されており、且つ、前記外部装置と前記通信装置との通信が実行されている状態で、前記所定のチャネルを用いた前記外部装置と前記通信装置との接続が切断された場合、前記第１制御手段は、前記複数の検索方法のうち、前記所定のチャネルを用いて所定の回数、前記外部装置の検索を繰り返し、前記所定のチャネルを用いて前記所定の回数、前記外部装置の検索が繰り返されることにより前記外部装置が検出されなかった場合、前記所定のチャネル以外のチャネルを少なくとも用いて前記外部装置を検索する検索方法で前記外部装置を検索することを特徴とする請求項１乃至５のいずれか１項に記載の通信装置。
【請求項７】
前記所定のチャネルを用いた前記外部装置と前記通信装置との前記第１の無線ネットワークにおける接続と、前記所定のチャネルを用いた前記端末装置と前記通信装置との前記第２の無線ネットワークにおける接続が並行して確立されており、且つ、前記外部装置と前記通信装置との通信が実行されている状態で、前記所定のチャネルを用いた前記外部装置と前記通信装置との接続が切断された場合、前記第１制御手段は、前記複数の検索方法のうち、前記所定のチャネルを用いて、前記第１の周期よりも短い第３の周期で所定の回数、前記外部装置の検索を繰り返し、前記所定のチャネルを用いて、前記第３の周期で前記所定の回数、前記外部装置の検索が繰り返されることにより前記外部装置が検出されなかった場合、前記所定のチャネル以外のチャネルを少なくとも用いて、前記第２の周期より短く、且つ前記第３の周期より長い第３の周期で前記外部装置の検索を繰り返す検索方法で前記外部装置を検索することを特徴とする請求項５に記載の通信装置。
【請求項８】
前記所定のチャネルを用いた前記外部装置と前記通信装置との前記第１の無線ネットワークにおける接続と、前記所定のチャネルを用いた前記端末装置と前記通信装置との前記第２の無線ネットワークにおける接続が並行して確立されている状態で、前記所定のチャネルを用いた前記外部装置と前記通信装置との接続が切断された場合、前記第１制御手段は、前記複数の検索方法のうち、前記端末装置と前記通信装置との通信が実行されている状態では、前記端末装置と前記通信装置との通信が終了するまで、前記所定のチャネルを用いて、前記外部装置の検索を繰り返し、前記端末装置と前記通信装置との通信が終了するまで、前記所定のチャネルを用いて前記外部装置が検索されることにより前記外部装置が検出されなかった場合、前記所定のチャネル以外のチャネルを少なくとも用いて前記外部装置を検索する検索方法で前記外部装置を検索することを特徴とする請求項１乃至７のいずれか１項に記載の通信装置。
【請求項９】
前記所定のチャネルを用いた前記外部装置と前記通信装置との前記第１の無線ネットワークにおける接続と、前記所定のチャネルを用いた前記端末装置と前記通信装置との前記第２の無線ネットワークにおける接続が並行して確立されている状態で、前記所定のチャネルを用いた前記外部装置と前記通信装置との接続が切断された場合、前記第１制御手段は、前記複数の検索方法のうち、前記端末装置と前記通信装置との通信が実行されている状態では、前記端末装置と前記通信装置との通信が終了するまで、前記所定のチャネルを用いて、前記外部装置の検索を繰り返し、前記端末装置と前記通信装置との通信が終了するまで、前記所定のチャネルを用いて前記外部装置が検索されることにより前記外部装置が検出されなかった場合、前記所定のチャネル以外のチャネルを少なくとも用いて、第４の周期で前記外部装置の検索を繰り返し、前記所定のチャネル以外のチャネルを少なくとも用いて、前記第４の周期で前記外部装置の検索が繰り返されることにより前記外部装置が検出されなかった場合、前記第４の周期よりも長い第５の周期で前記外部装置の検索を繰り返す検索方法で前記外部装置を検索することを特徴とする請求項８に記載の通信装置。
【請求項１０】
前記所定のチャネルを用いた前記外部装置と前記通信装置との前記第１の無線ネットワークにおける接続と、前記所定のチャネルを用いた前記端末装置と前記通信装置との前記第２の無線ネットワークにおける接続が並行して確立されている状態で、前記通信装置の電源がオフになったことにより、前記所定のチャネルを用いた前記外部装置と前記通信装置との接続が切断された場合、前記第２の制御手段が、前記通信装置の状態にかかわらず前記所定の方法で前記外部装置を検索することを特徴とする請求項１乃至９のいずれか１項に記載の通信装置。
【請求項１１】
前記所定の方法は、前記所定のチャネル以外のチャネルを少なくとも用いて、前記外部装置を検索する検索方法であることを特徴とする請求項１乃至１０のいずれか１項に記載の通信装置。
【請求項１２】
前記第１の制御手段及び前記第２の制御手段は、前記所定のチャネル以外のチャネルを少なくとも用いて前記外部装置の検索を行う場合、前記通信装置が使用可能な全てのチャネルを順に使用して前記外部装置を検索することを特徴とする請求項１乃至１１のいずれか１項に記載の通信装置。
【請求項１３】
前記外部装置と前記通信装置との接続に用いられる前記所定のチャネルは、前記外部装置によって決定されることを特徴とする請求項１乃至１２のいずれか１項に記載の通信装置。
【請求項１４】
前記端末装置との前記第１の無線ネットワークにおける接続は、Ｗｉ−Ｆｉ  Ｄｉｒｅｃｔ（登録商標）によって形成されることを特徴とする請求項１乃至１３のいずれか１項に記載の通信装置。
【請求項１５】
端末装置との通信状態を取得し、前記通信状態に基づいた制御を行う第１制御手段と、前記第１の制御手段と異なる第２の制御手段と、を有する通信装置の制御方法であって、
前記通信装置が使用可能なチャネルのうち、所定のチャネルを用いた外部装置と前記通信装置との第１の無線ネットワークにおける接続を確立させ、前記所定のチャネルを用いた端末装置と前記通信装置との第２の無線ネットワークにおける接続を確立させる接続ステップと、
前記所定のチャネルを用いた前記外部装置と前記通信装置との前記第１の無線ネットワークにおける接続と、前記所定のチャネルを用いた前記端末装置と前記通信装置との前記第２の無線ネットワークにおける接続が並行して確立されている状態で、前記所定のチャネルを用いた前記外部装置と前記通信装置との接続が切断された場合、前記第１制御手段に、前記第１制御手段が実行可能な複数の検索方法のうち前記端末装置と前記通信装置との通信状態に応じて特定される検索方法で前記外部装置を検索させ、前記所定のチャネルを用いた前記外部装置と前記通信装置との前記第１の無線ネットワークにおける接続が確立されており、前記所定のチャネルを用いた前記端末装置と前記通信装置との前記第２の無線ネットワークにおける接続が確立されていない状態で、前記所定のチャネルを用いた前記外部装置と前記通信装置との接続が切断された場合、前記第２の制御手段に、前記端末装置と前記通信装置との通信状態にかかわらず所定の方法で前記外部装置を検索させる検索ステップとを有することを特徴とする制御方法。
【請求項１６】
端末装置との通信状態を取得し、前記通信状態に基づいた制御を行う第１制御手段と、前記第１の制御手段と異なる第２の制御手段と、を有する通信装置に、
前記通信装置が使用可能なチャネルのうち、所定のチャネルを用いた外部装置と前記通信装置との第１の無線ネットワークにおける接続を確立させ、前記所定のチャネルを用いた端末装置と前記通信装置との第２の無線ネットワークにおける接続を確立させる接続ステップと、
前記所定のチャネルを用いた前記外部装置と前記通信装置との前記第１の無線ネットワークにおける接続と、前記所定のチャネルを用いた前記端末装置と前記通信装置との前記第２の無線ネットワークにおける接続が並行して確立されている状態で、前記所定のチャネルを用いた前記外部装置と前記通信装置との接続が切断された場合、前記第１制御手段に、前記第１制御手段が実行可能な複数の検索方法のうち前記端末装置と前記通信装置との通信状態に応じて特定される検索方法で前記外部装置を検索させ、前記所定のチャネルを用いた前記外部装置と前記通信装置との前記第１の無線ネットワークにおける接続が確立されており、前記所定のチャネルを用いた前記端末装置と前記通信装置との前記第２の無線ネットワークにおける接続が確立されていない状態で、前記所定のチャネルを用いた前記外部装置と前記通信装置との接続が切断された場合、前記第２の制御手段に、前記端末装置と前記通信装置との通信状態にかかわらず所定の方法で前記外部装置を検索させる検索ステップとを実行させることを特徴とするプログラム。
【手続補正２】
【補正対象書類名】明細書
【補正対象項目名】０００７
【補正方法】変更
【補正の内容】
【０００７】
上記課題を解決するため、本発明にかかる通信装置は、通信装置であって、
前記通信装置が使用可能なチャネルのうち、所定のチャネルを用いた外部装置と前記通信装置との第１の無線ネットワークにおける接続を確立させ、前記所定のチャネルを用いた端末装置と前記通信装置との第２の無線ネットワークにおける接続を確立させる接続手段と、
前記端末装置と前記通信装置との通信状態を取得し、前記通信状態に基づいた制御を行う第１制御手段と、
前記第１の制御手段と異なる第２の制御手段と、を有し、
前記所定のチャネルを用いた前記外部装置と前記通信装置との前記第１の無線ネットワークにおける接続と、前記所定のチャネルを用いた前記端末装置と前記通信装置との前記第２の無線ネットワークにおける接続が並行して確立されている状態で、前記所定のチャネルを用いた前記外部装置と前記通信装置との接続が切断された場合、前記第１制御手段が、前記第１制御手段が実行可能な複数の検索方法のうち前記端末装置と前記通信装置との通信状態に応じて特定される検索方法で前記外部装置を検索し、
前記所定のチャネルを用いた前記外部装置と前記通信装置との前記第１の無線ネットワークにおける接続が確立されており、前記所定のチャネルを用いた前記端末装置と前記通信装置との前記第２の無線ネットワークにおける接続が確立されていない状態で、前記所定のチャネルを用いた前記外部装置と前記通信装置との接続が切断された場合、前記第２の制御手段が、前記端末装置と前記通信装置との通信状態にかかわらず所定の方法で前記外部装置を検索することを特徴とする。